(57)【特許請求の範囲】
【請求項１】
天井や手摺り等の被取付体に固定される支持具に支柱を取り付け、支柱の下部又は上部に物干竿等を掛ける掛具を設けてあり、支柱は、外筒と内軸を有し、外筒に対して内軸を上下移動かつ回動可能に設けて、内軸に取り付けた掛具の高さが調整可能である物干竿等の支持装置において、外筒の内面には、上下方向に伸び内方に突出する突条を設け、突条に間隔をおいて複数の切欠部を設けることによって、それぞれの切欠部の下部となる突条の上端面を複数の係止部とし、内軸の上部又は下部には、下部が開放し上部に係合部を有する突当溝を設け、突条の係止部が突当溝の下部から係合部に係合して使用状態となると共に、内軸は、使用状態から上方へ移動させると係止部と係合部の係合が外れて外筒に対して回動可能となるよう構成し、内軸を上下移動及び回動させることによって、係合部を外筒のいずれかの係止部に選択的に係合させることができ、掛具の高さが調整可能であることを特徴とする物干竿等の支持装置。
【発明の詳細な説明】
【技術分野】
【０００１】
本発明は、ベランダ下の天井面やベランダの手摺り等の被取付体に取り付けて物干竿等を支持する支持装置であって、支柱の内軸に取り付けた掛具の高さを調整可能に構成した物干竿等の支持装置に関するものである。
【背景技術】
【０００２】
従来より、外筒に対して内軸を上下移動可能に設けられて、内軸に取り付けた掛具の高さが調整可能である物干竿等の支持装置は種々の発明が提案されている。
【０００３】
例えば、特開２００８−３０７２３１号発明（従来例１）においては、内軸に設けた前後方向に移動可能な係止ピンを設けて、外筒に設けた複数の係止孔に選択的に係合させ得るように成し、内軸を回動及び上下に移動させることによって、内軸に取り付けた掛具の高さを調整可能としたものであり、特開２００５−３０４５７７号発明（従来例２）においては、内軸の先端に複数の係合部を設けた長い係合具を取り付け、その係合部を、外筒の内部に設けた係止具に係止させ得るように成し、内軸を回動及び上下に移動させることによって、内軸に取り付けた掛具の高さを調整可能としたものであり、特許３８９５７３５号発明（従来例３）においては、内軸の上部に係合孔を設けると共に、外筒には複数の係合孔を設け、内軸の内部に設けた長い可動軸の上部に複雑なストッパー機構を設けて、下部にてそのストッパ機構を遠隔操作して、内軸の係合孔及び外筒のいずれかの係合孔に嵌脱させることによって、内軸に取り付けた掛具の高さを調整可能としたものである。
【先行技術文献】
【特許文献】
【０００４】
【特許文献１】特開２００８−３０７２３１号公報
【特許文献２】特開２００５−３０４５７７号公報
【特許文献３】特許３８９５７３５号公報
【発明の概要】
【発明が解決しようとする課題】
【０００５】
上記従来例１においては、外筒に複数の係止孔を設ける必要があるので、強度が低下したり、その部分が錆びやすく製品寿命が短くなったり、また係止孔と係止ピンによって指を挟む危険もあり、さらには外観が悪くなるという問題があり、従来例２においては、内軸の先端に取り付けた係合具は、長く、中間に切り欠いて形成した複数の係合部を設けてあるので、物干竿を掛ける掛具に回動させる力がかかった場合に捩れやすく強度上の問題があり、また係合具に高い剛性を持たせようとするとコストが高くなってしまうという問題が生じ、従来例３においては、内軸の内部に設けた長い可動軸の上部に複雑なストッパー機構と遠隔操作部を設ける必要があり、部品点数が多くなり、組立に手数がかかり、コストも高くなるという問題がある。本発明は、これらの問題を解決することを課題としている。
【課題を解決するための手段】
【０００６】
本発明は、上記の課題を解決するための物干竿等の支持装置であり、天井や手摺り等の被取付体に固定される支持具に支柱を取り付け、支柱の下部又は上部に物干竿等を掛ける掛具を設けてあり、支柱は、外筒と内軸を有し、外筒に対して内軸を上下移動かつ回動可能に設けて、内軸に取り付けた掛具の高さが調整可能である物干竿等の支持装置において、外筒の内面には、上下方向に伸び内方に突出する突条を設け、突条に間隔をおいて複数の切欠部を設けることによって、それぞれの切欠部の下部となる突条の上端面を複数の係止部とし、内軸の上部又は下部には、下部が開放し上部に係合部を有する突当溝を設け、突条の係止部が突当溝の下部から係合部に係合して使用状態となると共に、内軸は、使用状態から上方へ移動させると係止部と係合部の係合が外れて外筒に対して回動可能となるよう構成し、内軸を上下移動及び回動させることによって、係合部を外筒のいずれかの係止部に選択的に係合させることができ、掛具の高さが調整可能であることを特徴とする物干竿等の支持装置である。
【発明の効果】
【０００７】
本発明によれば、外筒にも内軸にも孔を設ける必要がなく、また、外筒と内軸以外に長い係止具や長い可動軸、また複雑なストッパー機構や遠隔操作部も必要がないので、外観が良好で錆びにくく製品寿命が長く、安全で強度的にも優れた物干竿等の支持装置を安価に提供することができるという効果がある。
【図面の簡単な説明】
【０００８】
図１〜図１４が実施例１の図面であり、図１５が実施例２の図面であり、図１６〜図２３が実施例３の図面である。
【図１】全体正面図である。
【図２】図１のＡ部において一部を断面にした要部拡大図である。
【図３】図２の状態から、内軸を上方へ移動させた状態の要部拡大図である。
【図４】図３の状態から、内軸を左に回動させた状態の要部拡大図である。
【図５】図４の状態から、内軸を上方へ移動させた状態の要部拡大図である。
【図６】図４の状態から、内軸を最も下方へ移動させた状態の要部拡大図である。
【図７】図６の状態から、内軸を右に回動させた状態の要部拡大図である。
【図８】図２のＢ−Ｂ線拡大断面図である。
【図９】図２のＣ−Ｃ線拡大断面図である。
【図１０】図５のＤ−Ｄ線拡大断面図である。
【図１１】図５のＥ−Ｅ線拡大断面図である。
【図１２】図１の状態から、内軸を上方へ移動させ左に回動させた状態の全体正面図である。
【図１３】要部の分解斜視図である。
【図１４】外筒の他の実施例を示す断面図である。
【図１５】要部の分解斜視図である。
【図１６】全体正面図である。
【図１７】図１６のＦ部において一部を断面にした要部拡大図である。
【図１８】図１７の状態から、内軸を上方へ移動させた状態の要部拡大図である。
【図１９】図１８の状態から、内軸を左に回動させた状態の要部拡大図である。
【図２０】図１９の状態から、内軸を上方へ移動させた状態の要部拡大図である。
【図２１】図１９の状態から、内軸を最も上方へ移動させた状態の要部拡大図である。
【図２２】図２１の状態から、内軸を右に回動させた状態の要部拡大図である。
【図２３】要部の分解斜視図である。
【実施例１】
【０００９】
図１〜図１４に基づいて本発明の実施例１を説明する。
本実施例の物干竿等の支持装置は、ベランダ下の天井面に取り付けられる支持具１に、支柱２の上端を取り付け、支柱２の下端には、物干竿を掛ける複数の竿受部１７・・・１７を設けた掛具５を取り付けてある。
【００１０】
支柱２は、上部の外筒３と下部の内軸４とから成り、外筒３は、横断面形状が円形パイプ状で、内周面には略四角形状で相対向するように突出している一対の突条７・７を設け、その突条７・７に、間隔をおいて４箇所に切欠部８・・・８を設けてそれぞれの下端部、すなわち突条７・７の上端面を係止部９・・・９としてある。また、最下部の切欠部８・８の横に、内方に突出する抜止部１０・１０を設けてある。
【００１１】
なお、外筒５２は、図１４に示すように、２つの同じ断面の半体５０・５１を一体化して円形パイプ状として、内周面に略四角形状で相対向するように突出している一対の突条５３・５３を設けて、切欠部等のその他の構造を上記実施例のものと同じようにしたものでもよい。この構造にすると、切欠部を設ける時に、円形パイプ状に一体化する前に、半体５０・５１の段階で切り欠き作業ができるので加工しやすいというメリットがある。
【００１２】
内軸４は、横断面形状が略円形パイプ状で、外周面の相対応する２箇所をほぼ７０度に亘って一段低くなっている制限溝１１・１１を設けてあり、上端部に、内軸４と同一直径で類似する横断面形状を有する保持具６を取り付けてある。なお、制限溝１１・１１の一段低くする範囲は、１８０度以下であればよい。
【００１３】
保持具６は、下部が内軸４に挿入されて取り付けられ、上部は、内軸４の制限溝１１・１１と同様な溝が設けられ、その溝の中央を仕切部１２・１２で仕切って、右側の溝を通過溝１３・１３とし、左側の溝を突当溝１４・１４としてある。さらに、仕切部１２・１２の上端部は、突当溝１４・１４側（左側）に曲がって突当溝１４・１４上部に位置し、後述するように突条７・７の通過を阻止する係合部１５・１５を設けてある。また、突当溝１４・１４の上部左横部及び係合部１５・１５の左横部には、突当溝１４・１４とクランク状に連続している逃げ溝１６・１６を設けてある。なお、本実施例では、保持具６は内軸４と別体になっているが、一体に形成することも可能である。
【００１４】
次に組み立て方を説明する。
内軸４の上端に保持具６を取り付け、内軸４を外筒３の上方から、外筒３の突条７・７が、内軸４の制限溝１１・１１の右側部沿いを通るように挿入し、内軸４を下方に移動させると、突条７・７が通過溝１３・１３を通過し、仕切部１２・１２を、外筒３のいずれかの切欠部８・８の真横に位置させ（図４参照）、内軸４を右に回動すると、仕切部１２・１２が切欠部８・８を通って、制限溝１１・１１の左側部が突条７・７に当接する（図３参照）。その後、内軸４を下方に移動させると、突当溝１４・１４が突条７・７を挟むようにして摺動し係合部１５・１５が突条７・７上端の係止部９・９に当接して係合し、内軸４は回動不能かつ下方への移動不能な状態となり（図２参照）、この状態で、外筒３上端部に支持具１を取り付け、内軸４下端部に掛具５を取り付けて組立は完了する（図１参照）。
【００１５】
次に使用方法を説明する。
内軸４に取り付けた掛具５の高さを変更するには、掛具５を持って内軸４を上方へ移動して、係止部９・９と係合部１５・１５の係合を外し、仕切部１２・１２を、外筒３の切欠部８・８の真横に位置させ（図３参照）、内軸４を左に回動すると、仕切部１２・１２が切欠部８・８を通って、制限溝１１・１１の右側部が突条７・７に当接して、通過溝１３・１３が上下の突条７・７の間に位置することになる（図４参照）。この状態から、内軸４を上方又は下方へ移動し、仕切部１２・１２が、外筒３の別の切欠部８・８の真横に位置するようにして（図４参照）、内軸４を右に回動すると、仕切部１２・１２が切欠部８・８を通って、制限溝１１・１１の左側部が突条７・７に当接して、突当溝１４・１４の下方に突条７・７が位置することになる（図３参照）。その後、内軸４を下方に移動させると、突当溝１４・１４が突条７・７を挟むようにして摺動し、係合部１５・１５が突条７・７上端の別の係止部９・９に当接して係合し、内軸４は回動不能かつ下方への移動不能な使用状態となり（図２参照）、内軸４に取り付けた掛具５の高さを変更することができる。
【００１６】
また、制限溝１１・１１の右側部が突条７・７に当接している状態は、内軸４が上下に移動可能な状態であり、内軸４を最も上方に移動させると、内軸４上端部が支持具１の下端部に当接し、最も下方に移動させると、係合部１５・１５が抜止部１０・１０に当接し（図６参照）、内軸４は外筒３から抜け落ちることがないようになっている。なおこの状態では、仕切部１２・１２が、外筒３最下部の切欠部８・８の真横にあり、内軸４を右に回動すると、仕切部１２・１２が切欠部８・８を通って、突条７・７が制限溝１１・１１の左側部に当接し、抜止部１０・１０が逃げ溝１６・１６に移動し（図７参照）、この状態から内軸４を下方に移動させると、抜止部１０・１０が逃げ溝１６・１６を通って逃げ溝１６・１６から脱出し、係合部１５・１５が突条７・７上端の係止部９・９に当接して係合し、支柱２が最も長い使用状態となる。
【実施例２】
【００１７】
図１５に基づいて本発明の実施例２を説明する。なお、組み立て方や使用方法については、実施例１とほぼ同様なので詳しい図面は省略する。
支柱１８は、上部の外筒１９と下部の内軸２０とから成り、外筒１９は、横断面形状が円形パイプ状で、内周面には略四角形状で相対向するように突出している一対の突条２３・２３を設け、その突条２３・２３に、間隔をおいて４箇所に切欠部２４・・・２４を設けてそれぞれの下端部、すなわち突条２３・２３の上端面を係止部２５・・・２５としてある。また、最下部の突条２３・２３の上部に設けた切欠部２４・２４の横に、内方に突出する抜止部２６・２６を設けてある。
【００１８】
内軸２０は、横断面形状が円形パイプ状で、上端部に、内軸２０より大きい直径の保持具２１を取り付けてある。
【００１９】
保持具２１は、実施例１と同様に、下部が内軸２０に挿入されて取り付けられ、上部に、外周面の相対応する２箇所をほぼ７０度に亘って一段低くなっている溝を設けてあり、その溝の中央を仕切部２７・２７で仕切って、右側の溝を通過溝２８・２８とし、左側の溝を突当溝２９・２９としてある。さらに、仕切部２７・２７の上端部は、突当溝２９・２９側（左側）に曲がって突当溝２９・２９上部に位置し、突条２３・２３の通過を阻止する係合部３０・３０を設けてある。また、突当溝２９・２９の上部左横部及び係合部３０・３０の左横部には、突当溝２９・２９とクランク状に連続している逃げ溝３１・３１を設けてある。
【００２０】
次に組み立て方を説明する。
内軸２０の上端に保持具２１を取り付け、内軸２０を外筒１９の上方から挿入し、内軸２０を下方に移動させて、突条２３・２３が通過溝２８・２８を通過するようにして、仕切部２７・２７を、外筒１９のいずれかの切欠部２４・２４の真横に位置させ、内軸２０を右に回動すると、仕切部２７・２７が切欠部２４・２４を通って、突条２３・２３が突当溝２９・２９の下方に位置し、その後、内軸２０を下方に移動させると、突当溝２９・２９が突条２３・２３を挟むようにして摺動し係合部３０・３０が突条２３・２３上端の係止部２５・２５に当接して係合し、内軸２０は回動不能かつ下方への移動不能な状態となり、この状態で、外筒１９上端部に支持具（図示せず）を取り付け、内軸２０下端部に掛具（図示せず）を取り付けて組立は完了する。
【００２１】
次に使用方法を説明する。
内軸２０に取り付けた掛具（図示せず）の高さを変更するには、内軸２０を上方へ移動して、係止部２５・２５と係合部３０・３０の係合を外し、仕切部２７・２７を、外筒１９の切欠部２４・２４の真横に位置させ、内軸２０を左に回動すると、仕切部２７・２７が切欠部２４・２４を通って、通過溝２８・２８が上下の突条２３・２３の間に位置することになる。この状態から、内軸２０を上方又は下方へ移動し、仕切部２７・２７が、外筒１９の別の切欠部２４・２４の真横に位置するようにして、内軸２０を右に回動すると、仕切部２７・２７が切欠部２４・２４を通って、突当溝２９・２９の下方に突条２３・２３が位置することになる。その後、内軸２０を下方に移動させると、突当溝２９・２９が突条２３・２３を挟むようにして摺動し、係合部３０・３０が突条２３・２３上端の別の係止部２５・２５に当接して係合し、内軸２０は回動不能かつ下方への移動不能な使用状態となり、内軸２０に取り付けた掛具（図示せず）の高さを変更することができる。
【００２２】
また、通過溝２８・２８が突条２３・２３を通過できる状態においては、内軸２０が上下に移動可能な状態であり、内軸４を最も上方に移動させると、内軸２０上端部が支持具（図示せず）の下端部に当接し、最も下方に移動させると、係合部３０・３０が抜止部２６に当接し、抜け落ちることがないようになっている。なおこの状態では、仕切部２７・２７が、外筒１９最下部の切欠部２４・２４の真横にあり、内軸２０を右に回動すると、仕切部２７・２７が切欠部２４・２４を通って、突当溝２９・２９の下方に突条２３・２３が位置することになり、内軸２０を下方に移動させると、係合部３０・３０が突条２３・２３上端の係止部２５・２５に当接して係合し、支柱１８が最も長い使用状態となる。
【実施例３】
【００２３】
図１６〜図２３に基づいて本発明の実施例３を説明する。
本実施例の物干竿等の支持装置は、ベランダの手摺りに取り付けられる支持具３２に、支柱３３を取り付け、支柱３３の上端には、物干竿を掛ける複数の竿受部４９・・・４９を設けた掛具３６を取り付けてある。
【００２４】
支柱３３は、上部の内軸３４と下部の外筒３５とから成り、外筒３５は、横断面形状が略円形パイプ状で後方に支持具３２に取り付けるための取付用突条４８を設け、内周面には略四角形状で相対向するように突出している一対の突条３８・３８を設け、その突条３８・３８に、間隔をおいて４箇所に切欠部３９・・・３９を設けてその下端部、すなわち突条３８・３８の上端面を係止部４０・・・４０としてある。また、最上部の切欠部３９・３９の斜め上に、内方に突出する抜止部４１・４１を設けてある。
【００２５】
内軸３４は、横断面形状が略円形パイプ状で、外周面の相対応する２箇所をほぼ７０度に亘って一段低くなっている制限溝４２・４２を設けてあり、下端部に、内軸３４と同一直径で類似する横断面形状を有する保持具３７を取り付けてある。
【００２６】
保持具３７は、上部が内軸３４に挿入されて取り付けられ、内軸３４の制限溝４２・４２と同様な溝が設けられ、その溝の下半部中央を仕切部４３・４３で仕切って、右側の溝を通過溝４４・４４とすると共に左側の溝を突当溝４５・４５とし、その溝の上半部の左側を、制限溝４２・４２より左側に広げて逃げ溝４７・４７を設けてある。また、突当溝４５・４５の上端部には、突条３８・３８の通過を阻止する係合部４６・４６を設けてある。
【００２７】
次に組み立て方を説明する。
内軸３４の下端に保持具３７を取り付け、内軸３４を外筒３５の下方から、外筒３５の突条３８・３８が、内軸３４の制限溝４２・４２の右側部沿いを通るように挿入し、内軸３４を上方に移動させると、突条３８・３８が通過溝４４・４４を通過し、仕切部４３・４３を、外筒３５のいずれかの切欠部３９・３９の真横に位置させ（図１９参照）、内軸３４を右に回動すると、仕切部４３・４３が切欠部３９・３９を通って、制限溝４２・４２の左側部が突条３８・３８に当接する（図１８参照）。その後、内軸３４を下方に移動させると、突当溝４５・４５が突条３８・３８を挟むようにして摺動し係合部４６・４６が突条３８・３８上端の係止部４０・４０に当接して係合し、内軸３４は回動不能かつ下方への移動不能な状態となり（図１７参照）、この状態で、外筒３５上部に支持具３２を取り付け、内軸３４上端部に掛具３６を取り付けて組立は完了する（図１６参照）。
【００２８】
次に使用方法を説明する。
内軸３４に取り付けた掛具３６の高さを変更するには、内軸３４を持って上方へ移動して、係止部４０・４０と係合部４６・４６の係合を外し、仕切部４３・４３を、外筒３５の切欠部３９・３９の真横に位置させ（図１８参照）、内軸３４を左に回動すると、仕切部４３・４３が切欠部３９・３９を通って、制限溝４２・４２の右側部が突条３８・３８に当接して、通過溝４４・４４が上下の突条３８・３８の間に位置することになる（図１９参照）。この状態から、内軸４を上方又は下方へ移動し、仕切部４３・４３が、外筒３５の別の切欠部３９・３９の真横に位置するようにして（図１９参照）、内軸３４を右に回動すると、仕切部４３・４３が切欠部３９・３９を通って、制限溝４２・４２の左側部が突条３８・３８に当接して、突当溝４５・４５の下方に突条３８・３８が位置することになる（図１８参照）。その後、内軸３４を下方に移動させると、突当溝４５・４５が突条３８・３８を挟むようにして摺動し、係合部４６・４６が突条３８・３８上端の別の係止部４０・４０に当接して係合し、内軸３４は回動不能かつ下方への移動不能な使用状態となり（図１７参照）、内軸３４に取り付けた掛具３６の高さを変更することができる。
【００２９】
また、制限溝４２・４２の右側部が突条３８・３８に当接している状態は、内軸３４が上下に移動可能な状態であり、内軸３４を最も上方に移動させると、係合部４６・４６の上部が抜止部４１・４１に当接し（図２１参照）、内軸３４は外筒３５から抜けることはない。なおこの状態では、仕切部４３・４３が、外筒３５最上部の切欠部３９・３９の真横にあり、内軸３４を右に回動すると、仕切部４３・４３が切欠部３９・３９を通って、突条３８・３８が制限溝４２・４２の左側部に当接して（図２２参照）、内軸３４を下方に移動させると、抜止部４１・４１が逃げ溝４７・４７を通って、係合部４６・４６が突条３８・３８上端の係止部４０・４０に当接して係合し、支柱３３が最も長い使用状態となる。
【符号の説明】
【００３０】
１    支持具
２    支柱
３    外筒
４    内軸
５    掛具
７    突条
８    切欠部
９    係止部
１１    制限溝
１２    仕切部
１３    通過溝
１４    突当溝
１８    支柱
１９    外筒
２０    内軸
２３    突条
２４    切欠部
２５    係止部
２７    仕切部
２８    通過溝
２９    突当溝
３０    係合部
３２    支持具
３３    支柱
３４    内軸
３５    外筒
３６    掛具
３８    突条
３９    切欠部
４０    係止部
４２    制限溝
４３    仕切部
４４    通過溝
４５    突当溝
４６    係合部
【図１】
0005460476.tif 000002
【図２】
0005460476.tif 000003
【図３】
0005460476.tif 000004
【図４】
0005460476.tif 000005
【図５】
0005460476.tif 000006
【図６】
0005460476.tif 000007
【図７】
0005460476.tif 000008
【図８】
0005460476.tif 000009
【図９】
0005460476.tif 000010
【図１０】
0005460476.tif 000011
【図１１】
0005460476.tif 000012
【図１２】
0005460476.tif 000013
【図１３】
0005460476.tif 000014
【図１４】
0005460476.tif 000015
【図１５】
0005460476.tif 000016
【図１６】
0005460476.tif 000017
【図１７】
0005460476.tif 000018
【図１８】
0005460476.tif 000019
【図１９】
0005460476.tif 000020
【図２０】
0005460476.tif 000021
【図２１】
0005460476.tif 000022
【図２２】
0005460476.tif 000023
【図２３】
0005460476.tif 000024